(57)【特許請求の範囲】
【請求項１】
上端のヒンジ部を支点に開閉自在な左右一対のカバー部材と、
この一対のカバー部材の長さ方向の各下端に対向するように設けられた左右一対の鍔部と、
この一対の鍔部に設けられ、鍔部およびカバー部材を閉成状態に保持するため、一方の鍔部の内面に突設された係止ボタンと、他方の鍔部に形成され該係止ボタンが圧入係止される段付孔と、からなる係止手段と、
前記係止手段に隣接して前記一対の鍔部の各々に形成され、取外し用突起の断面形状に対応した貫通孔と、
前記一対の鍔部の各内面に突設され、鍔部およびカバー部材が閉成状態になると、反対側の鍔部に形成された前記貫通孔を貫通して反対側の鍔部外側に先端側が突出する左右一対の取外し用突起とを具備し、
ホットスティックを使用して、反対側の鍔部外側に突出した左右一対の取外し用突起の両先端を内側方向に押すことにより、取外し用突起が貫通孔から抜ける力が加わり、前記係止手段による係止が外れて一対の鍔部および一対のカバー部材が開放状態に操作され、カバー部材を配電線から取外すことを特徴とする配電線用絶縁カバー。
【請求項２】
前記取外し用突起および貫通孔と前記係止手段は、前記鍔部に隣接して形成されることを特徴とする請求項１に記載の配電線用絶縁カバー。
【請求項３】
前記係止手段は、一方の鍔部内面に突設された係止ボタンと、他方の鍔部に形成された段付孔からなることを特徴とする請求項１または２に記載の配電線用絶縁カバー。
【請求項４】
閉成時、反対側の鍔部外側に突出する取外し用突起の先端側の長さは、係止手段による係止を外すことができる長さ以上であることを特徴とする請求項１ないし３のいずれかに記載の配電線用絶縁カバー。
【発明の詳細な説明】
【技術分野】
【０００１】
本発明は、高圧配電線に取付けられる配電線用絶縁カバーに関し、特に絶縁カバーを高圧配電線から取外す手段に関するものである。
【背景技術】
【０００２】
高圧配電線に対して活線作業を行うとき、高圧配電線の一部の絶縁被覆を剥ぎ取って一部の導体部を露出させ、その露出導体部に接地短絡器具、または停電地域縮小のために運転する高圧発電機車のケーブルを取付けている。そして、作業終了後、接地短絡器具等の取外し後に露出導体部を覆うように筒状の絶縁カバーを高圧配電線に取付けている。
【０００３】
図５は従来の絶縁カバー１０を高圧配電線２０とともに示す図で、上側の（イ）は絶縁カバー１０を高圧配電線２０の露出導体部２１部分に取付ける前で、絶縁カバー１０が開いた状態、下側の（ロ）は絶縁カバー１０を高圧配電線２０の露出導体部２１部分に取付け、絶縁カバー１０が閉じた状態を示す。さらに、上側（イ）および下側（ロ）の各々において、左側の(ａ)は正面図、中央の(ｂ)は右側面図、右側の(ｃ)は絶縁カバー鍔部部分の右側断面図である。
【０００４】
これらの図に示すように、絶縁カバー１０は、左右一対のカバー部材１１１，１１２を有する。この左右一対のカバー部材１１１，１１２は、各々が半割筒状をしており、合わさって筒状となるもので、上端のヒンジ部１２を支点に開閉自在である。左右一対のカバー部材１１１，１１２の各下端には、左右に一対対向するように鍔部１３１，１３２が長さ方法の全体に渡って設けられる。この鍔部１３１，１３２の長さ方向両端側の２個所の部分１４１，１４２は肉厚に補強され、かつ下方に舌片状に長く形成される。そして、この２個所の肉厚部分１４１，１４２にそれぞれ係止手段１５が設けられる。係止手段１５は、一対の鍔部１３１，１３２を閉成状態に保持して一対のカバー部材１１１，１１２すなわち絶縁カバー１０を閉成状態に保持するもので、一方の鍔部１３２の内面に突設された係止ボタン１６と、他方の鍔部１３１に形成された段付孔１７からなり、係止ボタン１６先端の円錐状頭部１６１を段付孔１７の径小部側に圧入して、頭部１６１後端の段部を段付孔１７の段部に係止させることにより、一対の鍔部１３１，１３２を閉成状態に保持することができる。
【０００５】
なお、このような絶縁カバー１０と類似する高圧配電線用のカバーとしては、特許文献１〜３に記載のカバーが挙げられる。
【０００６】
上記のような絶縁カバー１０は、従来は、高圧ゴム手袋等の防具を装着して作業者が活線作業で高圧配電線２０に取付けていたが、現在は、より安全に作業を行うため、図６に示すホットスティックと称される操作棒３０を使用して間接活線作業で高圧配電線２０に取付けている。
【０００７】
ホットスティック３０を使用して絶縁カバー１０を高圧配電線２０に取付ける場合は、図５（イ）に示すように絶縁カバー１０が開いた状態でホットスティック３０を使用して絶縁カバー１０を高圧配電線２０の露出導体部２１部分に被せた後、図７（ａ）に示すように、開いている一対の鍔部１３１，１３２をホットスティック３０先端の工具３１で挟み、締め付ける。すると、図７（ｂ）に示すように一対の鍔部１３１，１３２および一対のカバー部材１１１，１１２が閉じ、同時に係止ボタン１６先端の円錐状頭部１６１が段付孔１７に圧入係止されて一対の鍔部１３１，１３２および一対のカバー部材１１１，１１２が閉成状態に保持され、絶縁カバー１０が図５（ロ）に示すように高圧配電線２０に取付けられる。このような作業は、一対の鍔部１３１，１３２を挟み、締め付ける操作であるから、ホットスティック３０を使用しても比較的容易に作業を実施できる。
【０００８】
【特許文献１】特許第３２４１４９３号公報
【特許文献２】登録実用新案第２５３０９２１号公報
【特許文献３】登録実用新案第２５５４８４６号公報
【発明の開示】
【発明が解決しようとする課題】
【０００９】
ところで、絶縁カバー１０は、近隣で再度作業を行う場合、同一個所の露出導体部２１を再度使用するため、高圧配電線２０から取外すことがある。その場合は、やはりホットスティック３０を使用して絶縁カバー１０を取外すわけであるが、その場合は図８に示すように鉤状の工具３２をホットスティック３０に取付けて、その鉤状の工具３２を絶縁カバー１０の一端から絶縁カバー１０と高圧配電線２０の間に差し込み、こじ開けるような操作を行って係止ボタン１６先端の円錐状頭部１６１を段付孔１７から外すことにより、一対の鍔部１３１，１３２および一対のカバー部材１１１，１１２を開かせ、絶縁カバー１０を高圧配電線２０から取外している。しかし、このような作業をホットスティック３０で行うのは大変難しく、絶縁カバー１０の取外しが非常に厄介であった。また、このとき、絶縁カバー１０を損傷または変形させることがあった。
【００１０】
本発明は上記の点に鑑みなされたもので、ホットスティックを使用して容易に、かつ損傷または変形させることなく高圧配電線から取外すことができる配電線用絶縁カバーを提供することを目的とする。
【課題を解決するための手段】
【００１１】
本発明の配電線用絶縁カバーは、上端のヒンジ部を支点に開閉自在な左右一対のカバー部材と、この一対のカバー部材の各下端に対向するように設けられた左右一対の鍔部と、この一対の鍔部に設けられ、鍔部およびカバー部材を閉成状態に保持する係止手段と、前記一対の鍔部の各々に形成された貫通孔と、前記一対の鍔部の各内面に突設され、鍔部およびカバー部材が閉成状態になると、反対側の鍔部に形成された前記貫通孔を貫通して反対側の鍔部外側に先端側が突出する左右一対の取外し用突起とを具備し、反対側の鍔部外側に突出した左右一対の取外し用突起の両先端を内側方向に押すことにより前記係止手段による係止が外れて一対の鍔部および一対のカバー部材が開放状態に操作されることを特徴とするものである。
【００１２】
より具体的な形態として、前記取外し用突起および貫通孔と前記係止手段は、前記鍔部に隣接して形成される。また、前記係止手段は、一方の鍔部内面に突設された係止ボタンと、他方の鍔部に形成された段付孔からなる。さらに、閉成時、反対側の鍔部外側に突出する取外し用突起の先端側の長さは、係止手段による係止を外すことができる長さ以上とする。
【発明の効果】
【００１３】
本発明の配電線用絶縁カバーによれば、反対側の鍔部外側に突出した左右一対の取外し用突起の両先端を内側方向に押すことにより係止手段による係止が外れて一対の鍔部および一対のカバー部材が開放状態に操作されるので、高圧配電線への取付け時と同様に、ホットスティックの工具で挟み締付けることにより、絶縁カバーを高圧配電線から取外すことができるようになり、取外し作業が容易になるとともに、このとき、絶縁カバーを損傷させたり変形させることを防止できる。
【発明を実施するための最良の形態】
【００１４】
次に添付図面を参照して本発明による配電線用絶縁カバーの実施の形態を詳細に説明する。図２は本発明の実施形態の配電線用絶縁カバーを高圧配電線とともに示す図で、上側の（イ）は絶縁カバー４０を高圧配電線６０の露出導体部６１部分に取付ける前で、絶縁カバー４０が開いた状態、下側の（ロ）は絶縁カバー４０を高圧配電線６０の露出導体部６１部分に取付け、絶縁カバー４０が閉じた状態を示す。さらに、上側（イ）および下側（ロ）の各々において、左側の(ａ)は正面図、右側の(ｂ)は右側面図である。さらに、図３は絶縁カバー鍔部部分の拡大図であり、(ａ)は一部の正面図、(ｂ)は開いた状態の右側断面図、(ｃ)は閉じた状態の右側断面図である。
【００１５】
これらの図に示すように、本発明の実施形態の配電線用絶縁カバー４０は、左右一対のカバー部材４１１，４１２を有する。この左右一対のカバー部材４１１，４１２は合成樹脂からなり、各々が半割筒状をしており、合わさって筒状となるもので、上端のヒンジ部４２を支点に開閉自在である。左右一対のカバー部材４１１，４１２の各下端には、左右に一対対向するように鍔部４３１，４３２が長さ方向全体に渡って設けられる。この鍔部４３１，４３２の長さ方向両端側の２個所の部分４４１，４４２は肉厚に補強され、かつ下方に舌片状に長く形成される。そして、この2個所の肉厚部分４４１，４４２にそれぞれ係止手段４５と、取外し用突起４６と、この取外し用突起４６を貫通させる貫通孔４７が形成される。
【００１６】
係止手段４５は、一対の鍔部４３１，４３２を閉成状態に保持して、一体に一対のカバー部材４１１，４１２を閉成状態に保持するもので、図３に拡大して示すように、一方の鍔部４３２の内面に突設された係止ボタン４８と、他方の鍔部４３１に形成された段付孔４９からなる。係止ボタン４８は、軸４８１の先端に、先端側を斜面とした径大頭部として円錐状頭部４８２を設けて構成される。段付孔４９は、鍔部内面側に径小部４９１、鍔部外面側に径大部４９２を有する段付孔である。このような係止手段４５は、係止ボタン４８先端の円錐状頭部４８２を段付孔４９の径小部４９１に圧入通過させて、頭部４８２後端の段部を段付孔４９の段部に係止させることにより、一対の鍔部４３１，４３２を閉成状態に保持することができる。また、一対の鍔部４３１，４３２をある程度強い力で開くと、段付孔４９の径小部４９１を形成した部分の鍔部部材（合成樹脂からなる）が変形して係止ボタン４８の円錐状頭部４８２が段付孔４９の段部から外れるので、一対の鍔部４３１，４３２を開くことができる。このとき、変形が容易となるように、段付孔４９の径小部４９１を形成した部分の鍔部部材には、図３(ａ)に示すように切込み４９３が上下左右に形成される。
【００１７】
取外し用突起４６と貫通孔４７は、上記のような係止手段４５の上部に、係止手段４５と隣接して形成される。取外し用突起４６は、この実施形態では図３(ａ)から分かるように平板状に形成されており、各鍔部４３１，４３２の内面に突設させて左右一対設けられる。貫通孔４７は、取外し用突起４６の断面形状に対応した形状（ここでは長方形）で各鍔部４３１，４３２に形成され、一対の鍔部４３１，４３２を閉成させたとき、互いに反対側の各鍔部４３２，４３１の内面に突設された取外し用突起４６を貫通させて左右一対の取外し用突起４６の先端側を互いに反対側の鍔部４３２，４３１の外側に突出させるように設けられる。
【００１８】
このような絶縁カバー４０は、ホットスティックを使用して高圧配電線６０に取付ける場合、従来と全く同様にして取付けることができる。すなわち、図２（イ）に示すように絶縁カバー４０が開いた状態でホットスティックを使用して絶縁カバー４０を高圧配電線６０の露出導体部６１部分に被せた後、図１（ａ）に示すように、開いている一対の鍔部４３１，４３２をホットスティック７０先端の工具７１で挟み、締付ける。すると、図１（ｂ）に示すように一対の鍔部４３１，４３２および一対のカバー部材４１１，４１２が閉じ、同時に係止ボタン４８先端の円錐状頭部４８２が段付孔４９に圧入係止されて一対の鍔部４３１，４３２および一対のカバー部材４１１，４１２が閉成状態に保持され、絶縁カバー４０が高圧配電線６０に図２（ロ）で示すように取付けられる。このとき、図１(ｂ)に示すように、一対の鍔部４３１，４３２の各内面に突設された左右一対の取外し用突起４６は、互いに反対側の鍔部４３２，４３１に形成された各貫通孔４７を貫通して互いに反対側の鍔部４３２，４３１の外側に先端側が突出する。
【００１９】
次に、このようにして高圧配電線６０に取付けられた絶縁カバー４０を高圧配電線６０からホットスティック７０を使用して取外す場合は、取付け時と同一の工具７１を有するホットスティック７０を使用して、取付け時と同様に挟み締付けることで、高圧配電線６０から取外す。すなわち、高圧配電線６０に取付けられた状態で、左右一対の鍔部４３１，４３２の各内面に突設された左右一対の取外し用突起４６の先端側が貫通孔４７を貫通して互いに反対側の鍔部４３２，４３１の外側に突出しているので、その左右一対の取外し用突起４６の先端を図１(ｃ)に示すようにホットスティック７０の工具７１で挟み、内側に締付ける。すると、一対の鍔部４３１，４３２に対しては、これを開くように力が加わり、係止ボタン４８と段付孔４９に関しては、係止ボタン４８先端の円錐状頭部４８２と段付孔４９との係止を外すように力が加わり、係止が図１(ｄ)に示すように外れ、一対の鍔部４３１，４３２が開くようになり、一体に一対のカバー部材４１１，４１２が開き、絶縁カバー４０を高圧配電線６０から取外すことができる。
【００２０】
そして、このように、上記の絶縁カバー４０によれば、取付け時と同様に、ホットスティック７０の工具７１で挟み締付けることにより、絶縁カバー４０を高圧配電線６０から取外すことができるので、高圧配電線６０からの取外し作業が容易となり、かつこのとき、絶縁カバー４０を損傷させたり変形させることを防止できる。
【００２１】
なお、左右一対の取外し用突起４６の先端をホットスティック７０の工具７１で挟み締付けたときの力が係止手段４５に係止を外す力として有効に作用するように、係止手段４５の上部に、係止手段４５と隣接して（すなわち、図４に黒丸ａで示す位置に）取外し用突起４６と貫通孔４７を形成したが、図４に黒丸ｂで示すように、係止手段４５の側方で、係止手段４５と隣接する位置に取外し用突起４６と貫通孔４７を形成してもよい。
【００２２】
さらに、左右一対の取外し用突起４６を締付けたとき、係止ボタン４８の円錐状頭部４８２が必ず段付孔４９から外れるように、取外し用突起４６先端側の突出長さＬ１（図３(ｃ)に示す）は、段付孔４９の径小部４９１を形成した鍔部部材の厚さＬ２より長くする必要がある。
【００２３】
さらに、上記の実施形態は、高圧配電線６０の露出導体部６１を覆う絶縁カバーに関してであるが、その他用途の配電線用絶縁カバーに本発明の取外し手段を適用することができる。
【図面の簡単な説明】
【００２４】
【図１】本発明の実施形態の配電線用絶縁カバーをホットスティックを使用して高圧配電線に取付けるときの操作および高圧配電線から取外すときの操作を示す図。
【図２】本発明の実施形態の配電線用絶縁カバーを高圧配電線とともに示す図。
【図３】図２の配電線用絶縁カバーの鍔部部分の拡大図。
【図４】図２の配電線用絶縁カバーの正面図。
【図５】従来の絶縁カバーを高圧配電線とともに示す図。
【図６】ホットスティックを示す正面図。
【図７】従来の絶縁カバーをホットスティックを使用して高圧配電線に取付けるときの操作を示す図。
【図８】従来の絶縁カバーをホットスティックを使用して高圧配電線から取外すときの操作を示す図。
【符号の説明】
【００２５】
４０  絶縁カバー
４１１，４１２  カバー部材
４２  ヒンジ部
４３１，４３２  鍔部
４５  係止手段
４６  取外し用突起
４７  貫通孔
４８  係止ボタン
４９  段付孔
【図１】
0004553202.tif 000002
【図２】
0004553202.tif 000003
【図３】
0004553202.tif 000004
【図４】
0004553202.tif 000005
【図５】
0004553202.tif 000006
【図６】
0004553202.tif 000007
【図７】
0004553202.tif 000008
【図８】
0004553202.tif 000009